(57)【要約】      （修正有）【課題】コネクタが小型化した場合であってもコンタクトがメモリカードから受ける力によって塑性変形し難くかつコンタクトのメモリカードに対する追従性が低下し難いメモリカード用コネクタを提供する。【解決手段】メモリカードを直脱可能なカード収納空間、及び、カード収納空間の底面を構成する底板部、を有するインシュレータと、カード収納空間に挿入したメモリカードの端子と接触する接触部３２、及び、一端が接触部に接続しかつ他端が支持部２０、２２によって支持された一対の弾性変形部２６、２９を有するコンタクト２５と、を備え、一方の弾性変形部が、上記一端より上記他端が挿入方向側に位置しかつ少なくとも一部の直線方向及びメモリカードの厚み方向に対する直交方向の位置が接触部と異なり、他方の弾性変形部が、上記一端より上記他端が脱出方向側に位置する。【選択図】図４
2015232939.tif 000002
【特許請求の範囲】
【請求項１】
メモリカードを直線方向に沿って挿入可能かつ該直線方向に沿って脱出可能なカード収納空間、及び、該カード収納空間の底面を構成する底板部、を有する樹脂製のインシュレータと、
上記カード収納空間に挿入した上記メモリカードの端子と接触しかつ少なくとも一部が上記底板部よりも上記カード収納空間側に位置する接触部、及び、一端が該接触部に接続しかつ他端が上記底板部または該底板部に固定した固定部からなる支持部によって支持された一対の弾性変形部を有する金属製のコンタクトと、
を備え、
一方の上記弾性変形部が、上記一端より上記他端が上記挿入方向側に位置しかつ少なくとも一部の上記直線方向及び上記メモリカードの厚み方向に対する直交方向の位置が上記接触部と異なり、
他方の上記弾性変形部が、上記一端より上記他端が上記脱出方向側に位置しかつ少なくとも一部の上記直交方向の位置が上記接触部と異なることを特徴とするメモリカード用コネクタ。
【請求項２】
請求項１記載のメモリカード用コネクタにおいて、
上記接触部が上記メモリカードの厚み方向に弾性変形可能であるメモリカード用コネクタ。
【請求項３】
請求項１または２記載のメモリカード用コネクタにおいて、
上記メモリカードの厚み方向に見たときに、上記接触部が上記直線方向に沿って延びるメモリカード用コネクタ。
【請求項４】
請求項３記載のメモリカード用コネクタにおいて、
上記接触部が、上記直線方向の中間部よりも両端部が上記支持部側に位置するメモリカード用コネクタ。
【請求項５】
請求項１から４のいずれか１項記載のメモリカード用コネクタにおいて、
上記弾性変形部の上記一端が上記支持部から上記メモリカードの厚み方向に離間しているメモリカード用コネクタ。
【請求項６】
請求項１から５のいずれか１項記載のメモリカード用コネクタにおいて、
上記底板部に底部貫通孔を形成し、
上記コンタクトの一部を該底部貫通孔内に位置させ、
上記接触部の少なくとも一部を上記カード収納空間に位置させたメモリカード用コネクタ。
【請求項７】
請求項１から６のいずれか１項記載のメモリカード用コネクタにおいて、
一方の上記弾性変形部が、上記他端側から上記接触部側に向かいつつ上記脱出方向側に延びる第一変形部と、該第一変形部の上記他端と反対側端部から上記直交方向に延びかつ上記第一変形部と反対側端部が上記一端を構成する第二変形部と、を有し、
他方の上記弾性変形部が、上記他端側から上記接触部側に向かいつつ上記挿入方向側に延びる第三変形部と、該第三変形部の上記他端と反対側端部から上記直交方向に延びかつ上記第三変形部と反対側端部が上記一端を構成する第四変形部と、を有し、
上記第二変形部が上記第四変形部よりも上記脱出方向側に位置するメモリカード用コネクタ。
【発明の詳細な説明】
【技術分野】
【０００１】
本発明は、ＳＩＭカード等のメモリカードを挿脱可能なメモリカード用コネクタに関する。
【背景技術】
【０００２】
この種のメモリカード用コネクタの従来技術としては、例えば特許文献１に開示されたものがある。
このメモリカード用コネクタは、天井部及び長手方向の一端側が開口しかつ内部空間がカード収納空間を構成する樹脂製のインシュレータと、インシュレータの天井部に取り付けた（天井部を塞ぐ）金属製のシェル部材と、インシュレータの底板部に固定した複数の金属製コンタクトからなるコンタクト群と、を備えている。
各コンタクトは、底板部に固定した固定部と、固定部からインシュレータの長手方向に沿ってカード収納空間側（上方）に延びる接触片と、固定部からインシュレータの外側に延びるテール片と、を有している。
メモリカード用コネクタは、インシュレータの底板部を回路基板（リジッド基板）と平行をなすように対向させた状態で、コンタクト群の各テール片を回路基板の回路パターンに対してはんだ付けすることにより回路基板に対して実装可能である。
【０００３】
特許文献１のメモリカードは、インシュレータの長手方向に沿って直線移動させることによりコネクタのカード収納空間に挿入可能である。カード収納空間にメモリカードを挿入すると、メモリカードに形成した複数の端子が各コンタクトの接触片と接触するので、メモリカードと回路基板（回路パターン）がコンタクト群を介して電気的に導通する。
【先行技術文献】
【特許文献】
【０００４】
【特許文献１】特開２００７−１５７５２４号公報
【発明の概要】
【発明が解決しようとする課題】
【０００５】
コンタクト群を構成する各コンタクトの接触片は、一端（固定部）のみが底板部に支持されかつ他端が自由端を構成する片持ち構造である。そのためメモリカードを正規姿勢からずれた非正規姿勢でコネクタのカード収納空間に対して挿脱したりメモリカードの板厚が大きい場合には、メモリカードから各コンタクトの接触片に無理な力が及び、接触片が塑性変形を起こすおそれがある。仮に接触片が塑性変形を起こすと、各コンタクトの接触片とメモリカード（端子）の間の接圧が小さくなるので、接触片とメモリカード（端子）の間で接触不良が発生するおそれがある。
【０００６】
この問題を解決するためには、例えば各コンタクトを図１１に示す構造にすればよい。このコンタクトは、カード収納空間内に位置し（底板部から上方に離間し）かつインシュレータの長手方向（メモリカードの挿脱方向）に延びる接触部と、接触部の両端から互いに反対側に向かって延びかつ接触部と反対側の端部を底板部に固定した一対の弾性変形部と、を具備している。図示するように一対の弾性変形部は、メモリカードの厚み方向（上下方向）に見るとインシュレータの長手方向と平行な方向に延びる（両弾性変形部は同一直線上に位置する）。一方、メモリカードの厚み方向に対して直交する方向（水平方向）から見ると、一対の弾性変形部は接触部側から底板部側に向かって斜め下方に延びる。
このコンタクトは一対の弾性変形部の端部が共に底板部に支持された両持ち構造であるため、（メモリカードを非正規姿勢でコネクタのカード収納空間に対して挿脱するなどして）メモリカードから各コンタクトの接触部に対して無理な力を及ぼした場合であっても、弾性変形部(及び接触部)が塑性変形を起こし難い。
【０００７】
しかしながら近年、メモリカード用コネクタを搭載する電子機器（例えば、スマートフォンやタブレットコンピュータ等の携帯端末）が小型化しているため、これに伴ってメモリカード用コネクタをインシュレータの長手方向に小型化する必要が生じている。そのためコンタクトの一対の弾性変形部の（上記長手方向の）寸法を従来と比べて短くする必要がある。
しかし弾性変形部を短くすると弾性変形部が弾性変形し難くなり、弾性変形部のメモリカード（端子）に対する追従性が低下する。具体的にはメモリカード用コネクタとメモリカードのガタツキやメモリカードの厚みの公差を吸収するために必要な弾性変位量を確保することが困難となる。そのため、弾性変形部とメモリカード（端子）の間で接触不良が発生するおそれがある。
【０００８】
本発明の目的は、コネクタが小型化した場合であってもコンタクトがメモリカードから受ける力によって塑性変形し難くかつコンタクトのメモリカードに対する追従性が低下し難いメモリカード用コネクタを提供することにある。
【課題を解決するための手段】
【０００９】
本発明のメモリカード用コネクタは、メモリカードを直線方向に沿って挿入可能かつ該直線方向に沿って脱出可能なカード収納空間、及び、該カード収納空間の底面を構成する底板部、を有する樹脂製のインシュレータと、上記カード収納空間に挿入した上記メモリカードの端子と接触しかつ少なくとも一部が上記底板部よりも上記カード収納空間側に位置する接触部、及び、一端が該接触部に接続しかつ他端が上記底板部または該底板部に固定した固定部からなる支持部によって支持された一対の弾性変形部を有する金属製のコンタクトと、を備え、一方の上記弾性変形部が、上記一端より上記他端が上記挿入方向側に位置しかつ少なくとも一部の上記直線方向及び上記メモリカードの厚み方向に対する直交方向の位置が上記接触部と異なり、他方の上記弾性変形部が、上記一端より上記他端が上記脱出方向側に位置しかつ少なくとも一部の上記直交方向の位置が上記接触部と異なることを特徴としている。
【００１０】
上記接触部が上記メモリカードの厚み方向に弾性変形可能であってもよい。
【００１１】
上記メモリカードの厚み方向に見たときに、上記接触部が上記直線方向に沿って延びてもよい。
【００１２】
上記接触部が、上記直線方向の中間部よりも両端部が上記支持部側に位置してもよい。
【００１３】
上記弾性変形部の上記一端が上記支持部から上記メモリカードの厚み方向に離間していてもよい。
【００１４】
上記底板部に底部貫通孔を形成し、上記コンタクトの一部を該底部貫通孔内に位置させ、上記接触部の少なくとも一部を上記カード収納空間に位置させてもよい。
【００１５】
一方の上記弾性変形部が、上記他端側から上記接触部側に向かいつつ上記脱出方向側に延びる第一変形部と、該第一変形部の上記他端と反対側端部から上記直交方向に延びかつ上記第一変形部と反対側端部が上記一端を構成する第二変形部と、を有し、他方の上記弾性変形部が、上記他端側から上記接触部側に向かいつつ上記挿入方向側に延びる第三変形部と、該第三変形部の上記他端と反対側端部から上記直交方向に延びかつ上記第三変形部と反対側端部が上記一端を構成する第四変形部と、を有し、上記第二変形部が上記第四変形部よりも上記脱出方向側に位置してもよい。
【発明の効果】
【００１６】
本発明のメモリカード用コネクタは、メモリカードの端子と接触する接触部と、一端が接触部に接続しかつ他端を支持部で支持した一対の弾性変形部を有する両持ち構造である。そのためコネクタ及びコンタクトを（メモリカードのコネクタに対する挿脱方向に）小型化した場合であっても、コンタクトがメモリカードから無理な力を受けたときにコンタクトが塑性変形を起こし難い。
さらに一対の弾性変形部はメモリカードの挿脱方向に延びる単純な直線形状ではないので、コンタクト全体が（メモリカードのコネクタに対する挿脱方向に）小型化している場合であっても、一対の弾性変形部の全長（ばね長）を長くすることが可能である。そのためコネクタ及びコンタクトを（メモリカードのコネクタに対する挿脱方向に）小型化した場合であっても、コンタクト（弾性変形部）は十分な弾性変位量を確保し易く、それ故、コンタクトのメモリカードに対する追従性を低下し難くすることが可能である。
【図面の簡単な説明】
【００１７】
【図１】本発明の一実施形態の（シェル部材を分離した）コネクタとＳＩＭカードの前斜め上方から見た斜視図である。
【図２】シェル部材を省略したコネクタの平面図である。
【図３】金属製一体部材の上方から見た斜視図である。
【図４】第一コンタクトブロックの拡大斜視図である。
【図５】第一コンタクトブロックの一部の拡大側面図である。
【図６】第一コンタクトブロックの一部の拡大正面図である。
【図７】コネクタの一部の拡大正面図である。
【図８】第一の変形例のコンタクトの平面図である。
【図９】第二の変形例のコンタクトの平面図である。
【図１０】第三の変形例のコンタクトの平面図である。
【図１１】従来例のコンタクトの平面図である。
【発明を実施するための形態】
【００１８】
以下、図１−図７を参照しながら本発明の一実施形態について説明する。なお、以下の説明中の前後、上下、及び左右の方向は図中に記載した矢印の方向を基準としている。
本実施形態のメモリカード用コネクタ１０はスマートフォンなどの携帯端末に対して着脱可能なＳＩＭカードＳＣ用のコネクタである。
メモリカード用コネクタ１０は大きな構成要素として下部ハウジング１５及びシェル部材８０を具備している。
【００１９】
平面視略矩形の下部ハウジング１５は、金属製一体部材１６、インシュレータ６３、第一検知用バネ７５、及び第二検知用バネ７８を具備している。
左側部構成片１７、右側部構成片１８、第一コンタクトブロック１９、第二コンタクトブロック３８、第三コンタクトブロック４３、第四コンタクトブロック４８、第五コンタクトブロック５３、及び第六コンタクトブロック５８は一枚の金属板をプレス成形することにより構成したものである（図３参照）。これらの金属部材のプレス成形直後においては、左側部構成片１７、右側部構成片１８、第一コンタクトブロック１９、第二コンタクトブロック３８、第三コンタクトブロック４３、第四コンタクトブロック４８、第五コンタクトブロック５３、及び第六コンタクトブロック５８の隣接部材どうしは図示を省略した切断ブリッジにより互いに接続してあるので、これらの各金属部材は金属製一体部材１６の一部を構成している。
【００２０】
左側部構成片１７及び右側部構成片１８は同一水平面上に位置する水平板からなるものである。
第一コンタクトブロック１９は、左側部構成片１７及び右側部構成片１８と同一平面上に位置する右側固定部２０及び左側固定部２２と、右側固定部２０と左側固定部２２の間に位置するコンタクト２５と、テール連結片３５と、テール片３６と、を一体的に具備している。
右側固定部２０はその左側縁部の後部に、左側に向かって延びる支持突片２１を備えている。左側固定部２２はその右側縁部の前部に、右側に向かって延びる支持突片２３を備えている。
右側固定部２０の支持突片２１と左側固定部２２の支持突片２３の間に位置するコンタクト２５は、支持突片２１及び支持突片２３と一体化している。コンタクト２５は、支持突片２１の左側端部から左斜め前方に向かって延びる第一変形部２７と、第一変形部２７の前端部から左側（前後方向及びＳＩＭカードＳＣの厚み方向に対する直交方向。略直交方向であってもよい。この「略直交方向」も特許請求の範囲の「直交方向」に含まれる。第四変形部３１も同じ）に延びる第二変形部２８と、からなる第一弾性変形部２６を有している。またコンタクト２５は、支持突片２３の右側端部から右斜め後方に向かって延びる第三変形部３０と、第三変形部３０の後端部から右側（直交方向）に延びる第四変形部３１と、からなる第二弾性変形部２９を有している。図２に示すように第二変形部２８の左端部と第四変形部３１の右端部の左右方向位置は一致している。さらにコンタクト２５は、第二変形部２８の左端部と第四変形部３１の右端部との間を接続しかつ平面視で前後方向に延びる接触部３２を備えている。図５に示すように接触部３２の側面形状は逆Ｖ字形であり、その長手方向の中央部が最も上方に位置している。図示するように接触部３２の前端部に対して第二変形部２８の左端部が接続しており、接触部３２の後端部に対して第四変形部３１の右端部が接続している。さらに図４、図５等に示すように接触部３２は、その上面の長手方向の中央部に接触凸部３３を一体的に有している。第一弾性変形部２６、第二弾性変形部２９、及び接触部３２はいずれも上下方向に弾性変形可能である。但し、接触部３２よりも第一弾性変形部２６及び第二弾性変形部２９の方が弾性変形し易い（同じ大きさの力を与えたときに第一弾性変形部２６及び第二弾性変形部２９の方がより大きく弾性変形する）。
第一コンタクトブロック１９は、右側固定部２０から後方に向かって直線的に延びた後に左斜め後方に延びるテール連結片３５を備えている。さらに第一コンタクトブロック１９は、テール連結片３５の後端から後方に突出しかつ左側部構成片１７、右側部構成片１８、右側固定部２０、及び左側固定部２２より一段下方に位置するテール片３６を備えている。
【００２１】
第二コンタクトブロック３８は、右側固定部２０及び左側固定部２２の直後にそれぞれ位置しかつ右側固定部２０及び左側固定部２２と同一平面上に位置する右側固定部３９及び左側固定部４０、右側固定部３９に突設した支持突片２１と左側固定部４０に突設した支持突片２３との間に位置するコンタクト２５、右側固定部３９から後方に向かって直線的に延びた後に左斜め後方に延びるテール連結片４１、並びにテール連結片４１の後端から突出するテール片３６、を一体的に備えている。
第三コンタクトブロック４３は、右側固定部３９及び左側固定部４０の直後にそれぞれ位置しかつ右側固定部２０及び左側固定部２２と同一平面上に位置する右側固定部４４及び左側固定部４５、右側固定部４４に突設した支持突片２１と左側固定部４５に突設した支持突片２３との間に位置するコンタクト２５、左側固定部４５から右側に延びた後に後方に延びるテール連結片４６、並びにテール連結片４６の後端から突出するテール片３６、を一体的に備えている。
第四コンタクトブロック４８は、右側固定部２０の右側に位置しかつ右側固定部２０及び左側固定部２２と同一平面上に位置する右側固定部４９及び左側固定部５０、右側固定部４９に突設した支持突片２１と左側固定部５０に突設した支持突片２３との間に位置するコンタクト２５、左側固定部５０から後方に向かって直線的に延びた後に左斜め後方に延びるテール連結片５１、並びにテール連結片５１の後端から突出するテール片３６、を一体的に備えている。
第五コンタクトブロック５３は、右側固定部４９及び左側固定部５０の直後にそれぞれ位置しかつ右側固定部２０及び左側固定部２２と同一平面上に位置する右側固定部５４及び左側固定部５５、右側固定部５４に突設した支持突片２１と左側固定部５５に突設した支持突片２３との間に位置するコンタクト２５、左側固定部５５から後方に向かって直線的に延びた後に左斜め後方に延びるテール連結片５６、並びにテール連結片５６の後端から突出するテール片３６、を一体的に備えている。
第六コンタクトブロック５８は、右側固定部５４及び左側固定部５５の直後にそれぞれ位置しかつ右側固定部２０及び左側固定部２２と同一平面上に位置する右側固定部５９及び左側固定部６０、右側固定部５９に突設した支持突片２１と左側固定部６０に突設した支持突片２３との間に位置するコンタクト２５、左側固定部６０から左斜め後方に延びるテール連結片６１、並びにテール連結片６１の後端から突出するテール片３６、を一体的に備えている。
【００２２】
絶縁性及び耐熱性を有する樹脂材料からなるインシュレータ６３は図示を省略した金型内で金属製一体部材１６に対してアウトサート成形を行うことにより金属製一体部材１６と一体化したものである。インシュレータ６３は上面及び前面が開口した箱状部材である。インシュレータ６３の底面を構成する底板部６４には、平面視矩形の計６つの底部貫通孔６５が並べて形成してある。インシュレータ６３の左右の側壁６６と後部壁６７と底板部６４とで囲まれた空間はカード収納空間６８を構成している。左右の側壁６６の上面には、前後方向に延びかつカード収納空間６８と連通するロックバネ収納溝６９が凹設してある。さらに後部壁６７及び右側の側壁６６の上面には、第一検知用バネ収納溝７０と第二検知用バネ収納溝７１がそれぞれ凹設してある。
【００２３】
図示するように金属製一体部材１６は、第一コンタクトブロック１９、第二コンタクトブロック３８、第三コンタクトブロック４３、第四コンタクトブロック４８、第五コンタクトブロック５３、及び第六コンタクトブロック５８の一部、即ち、右側固定部２０、左側固定部２２、右側固定部３９、左側固定部４０、右側固定部４４、左側固定部４５、右側固定部４９、左側固定部５０、右側固定部５４、左側固定部５５、右側固定部５９、及び左側固定部６０の一部、各テール片３６、並びに各コンタクト２５を各底部貫通孔６５内に位置させる一方で、これらの部分を除いた部分全体をインシュレータ６３の内部に埋設（固定）している（インシュレータ６３によって被覆されている）。図７に示すようにメモリカード用コネクタ１０を水平方向に見たとき、自由状態にあるコンタクト２５の第二変形部２８及び第四変形部３１の一部並びに接触部３２（接触凸部３３）が底板部６４の上面より上方に位置する。
さらに図示は省略してあるが底板部６４の上記各切断ブリッジに対応する各位置には円形貫通孔が形成してある。インシュレータ６３のアウトサート成形後に底板部６４の各円形貫通孔を利用して金属製一体部材１６の各切断ブリッジをカッターで切断することにより、左側部構成片１７、右側部構成片１８、第一コンタクトブロック１９、第二コンタクトブロック３８、第三コンタクトブロック４３、第四コンタクトブロック４８、第五コンタクトブロック５３、及び第六コンタクトブロック５８どうしを互いに分離している。
【００２４】
インシュレータ６３の左右のロックバネ収納溝６９には金属製の板バネからなるロックバネ７３がそれぞれ設けてある。ロックバネ７３の中央部はカード収納空間６８側に向かって突出するロック部７４を構成している。左右のロックバネ７３はその板厚方向（左右方向）に弾性変形可能である。
インシュレータ６３の第一検知用バネ収納溝７０と第二検知用バネ収納溝７１には、共に金属製の板バネからなる第一検知用バネ７５と第二検知用バネ７８がそれぞれ取り付けてある。第一検知用バネ７５はその左端部を第一検知用バネ収納溝７０に嵌合固定しており、その右端部は接片７６を構成しており、その中間部には前方に向かって突出する被押圧突部７７が設けてある。第二検知用バネ７８の後端部には左側に向かって延びる接片７９が形成してある。第二検知用バネ７８は接片７９を除く部分を第二検知用バネ収納溝７１に嵌合固定してあり、接片７９は接片７６の直前に位置している。第一検知用バネ７５に対して外力を及ぼさないとき、第二検知用バネ７８の接片７９に対して第一検知用バネ７５の接片７６が後方から接触する。さらに第一検知用バネ７５と第二検知用バネ７８は、各テール片３６と同じ高さに位置するテール片（図示略）を備えている。
【００２５】
下部ハウジング１５の前面を除く周面及び上面は金属製のシェル部材８０（図１、図７参照）によって着脱可能に覆ってある。シェル部材８０の下縁部には図示を省略した複数のテール片が突設してある。これらのテール片はテール片３６と同じ高さに位置している。
【００２６】
以上説明した構成のメモリカード用コネクタ１０は、回路基板ＣＢ（図１の仮想線参照）の上面（回路形成面）に実装する。具体的には、メモリカード用コネクタ１０の上方に位置する吸引手段（図示略）によってシェル部材８０の上面を吸着し、該吸引手段を移動させることにより各テール片３６を回路基板ＣＢ上の回路パターンに塗布したはんだペーストに載せ、第一検知用バネ７５及び第二検知用バネ７８の各テール片を回路基板ＣＢ上の挿入状態検出回路パターン（挿入状態検出回路）に塗布したはんだペーストに載せ、さらにシェル部材８０のテール片を回路基板ＣＢ上の接地パターンに塗布したはんだペーストに載せ、リフロー炉において各はんだペーストを加熱溶融し、各テール片３６、第一検知用バネ７５及び第二検知用バネ７８の各テール片、並びにシェル部材８０の各テール片を上記各パターンにはんだ付けする。
【００２７】
次に以上構成のメモリカード用コネクタ１０にＳＩＭカードＳＣを挿脱するときの動作について説明する。
平面形状が左右方向に長い略矩形をなすＳＩＭカードＳＣの下面には６つの端子ＳＣ１が形成してある。またＳＩＭカードＳＣの左右両側部には係合凹部ＳＣ２が凹設してある。コンタクト２５（第一弾性変形部２６、第二弾性変形部２９、及び接触部３２）が自由状態にあるとき（メモリカード用コネクタ１０にＳＩＭカードＳＣを挿入していないとき）、ＳＩＭカードＳＣの厚みの方が各コンタクト２５の接触凸部３３とシェル部材８０の下面との間の上下方向距離より僅かに大きい。
メモリカード用コネクタ１０にＳＩＭカードＳＣを挿入していないとき、第二検知用バネ７８の接片７９に対して第一検知用バネ７５の接片７６が後方から接触する。そのため回路基板ＣＢに形成した上記挿入状態検出回路パターンが携帯端末の制御部に検知信号を送るので、該制御部は該携帯端末（メモリカード用コネクタ１０）にＳＩＭカードＳＣが挿入されていないことを検知する。
【００２８】
メモリカード用コネクタ１０の直前に位置するＳＩＭカードＳＣを、後方に向かって直線方向（前後方向）に移動させてメモリカード用コネクタ１０の前面開口部からカード収納空間６８内に挿入すると（図７参照）、左右のロックバネ７３が外側に弾性変形しながらそのロック部７４が左右の係合凹部ＳＣ２に係合する。そのためＳＩＭカードＳＣをカード収納空間６８内に挿入すると、ＳＩＭカードＳＣを前方に向けて直線方向（前後方向）に意図的に引き出さない限り、ＳＩＭカードＳＣのカード収納空間６８に対する収納状態が保持される。さらにカード収納空間６８に挿入されたＳＩＭカードＳＣの各端子ＳＣ１が対応する各コンタクト２５の接触部３２の接触凸部３３に対して上方からそれぞれ接触するので、第一コンタクトブロック１９、第二コンタクトブロック３８、第三コンタクトブロック４３、第四コンタクトブロック４８、第五コンタクトブロック５３、テール連結片５６を介してＳＩＭカードＳＣと回路基板ＣＢが電気的に導通する。
そしてこのときシェル部材８０の下面と接触部３２の接触凸部３３とによって挟まれたＳＩＭカードＳＣから各接触凸部３３（コンタクト２５）に対して下向きの力が及ぶので第一弾性変形部２６及び第二弾性変形部２９（さらに接触部３２も）が下側に弾性変形する（第一変形部２７及び第三変形部３０の底板部６４に対する傾斜角が小さくなる）。仮にＳＩＭカードＳＣの板厚が大きい場合やＳＩＭカードＳＣの姿勢が正規姿勢からずれている場合（例えば側面視でＳＩＭカードＳＣが水平方向に対して傾斜している場合）は、この際にＳＩＭカードＳＣから各コンタクト２５に対して大きな力が及ぶことになる。しかしながら各コンタクト２５は接触部３２を第一弾性変形部２６と第二弾性変形部２９によって底板部６４に支持した両持ち構造である。そのためメモリカード用コネクタ１０（及びコンタクト２５）を前後方向に小型化した場合であっても、各コンタクト２５の第一弾性変形部２６及び第二弾性変形部２９が塑性変形を起こすおそれは小さい。さらに接触部３２が平面視で前後方向に延びる形状であるため、前後方向に移動するＳＩＭカードＳＣから大きな力を受けても、接触部３２は塑性変形（例えば座屈）し難い。
さらにコンタクト２５の第一弾性変形部２６は平面視で互いに交差する第一変形部２７及び第二変形部２８を有し、第二弾性変形部２９は平面視で互いに交差する第三変形部３０及び第四変形部３１を具備している。即ち、コンタクト２５の第一弾性変形部２６と第二弾性変形部２９は前後方向に向かって単調に延びる形状（単純な直線形状）ではない。そのためコンタクト２５全体が前後方向に小型化している場合であっても、第一弾性変形部２６及び第二弾性変形部２９の全長（ばね長）を長くすることが可能である。そのためメモリカード用コネクタ１０（及びコンタクト２５）を前後方向に小型化した場合であっても、コンタクト２５（特に第一弾性変形部２６及び第二弾性変形部２９）は弾性変形し易く、それ故コンタクト２５のＳＩＭカードＳＣ（端子ＳＣ１）に対する追従性が低下し難い。そのため各コンタクト２５は様々な厚みのＳＩＭカードＳＣの端子ＳＣ１に対して確実に接触することが可能である。
【００２９】
さらに第一弾性変形部２６と第二弾性変形部２９は前後方向に向かって単調に延びる形状（単純な直線形状）ではなく左右方向にも延びる形状なので、平面視でＳＩＭカードＳＣを前後方向に対して傾斜させながらメモリカード用コネクタ１０に挿入したり挿入後にＳＩＭカードＳＣがメモリカード用コネクタ１０で傾斜すること等に起因してＳＩＭカードＳＣから接触部３２に左右方向の力が掛かった場合に、第一弾性変形部２６と第二弾性変形部２９の働きにより接触部３２が正規位置から左右方向に動き難く位置ズレが生じない。また接触部３２の左右方向への塑性変形を防止できる。従って、このような場合においても接触部３２とＳＩＭカードＳＣの端子ＳＣ１を確実に接触させることが可能である。
さらに自由状態においてコンタクト２５の第一弾性変形部２６及び第二弾性変形部２９の接触部３２側の端部が反対側の端部より上方に位置する（第一弾性変形部２６及び第二弾性変形部２９の全体が一水平面上に位置しない）ので、第一弾性変形部２６及び第二弾性変形部２９の全体が一水平面上に位置する場合と比べて第一弾性変形部２６及び第二弾性変形部２９は大きな弾性力を発揮可能である。
しかもＳＩＭカードＳＣをカード収納空間６８内に挿入すると、第一弾性変形部２６及び第二弾性変形部２９は自由状態のときより水平状態に近づく（第一変形部２７及び第三変形部３０の底板部６４に対する傾斜角が小さくなる）。さらに図７に示すようにメモリカード用コネクタ１０を水平方向に見たとき、自由状態にあるコンタクト２５の中で第二変形部２８及び第四変形部３１の一部並びに接触部３２（接触凸部３３）のみが底板部６４の上面より上方に位置する（その他の部分は底部貫通孔６５内に位置する）。そのため（コンタクト２５が弾性変形し易いにも拘わらず）メモリカード用コネクタ１０を低背化可能である。
【００３０】
さらにＳＩＭカードＳＣをメモリカード用コネクタ１０のカード収納空間６８に挿入すると、ＳＩＭカードＳＣの後端面の右側部分が第一検知用バネ７５の被押圧突部７７を後方に押圧するので、第一検知用バネ７５の接片７６が第二検知用バネ７８の接片７９から後方に離間する。すると回路基板ＣＢに形成した上記挿入状態検出回路パターンから携帯端末の制御部への検知信号の送信が遮断されるので、該制御部は該携帯端末（メモリカード用コネクタ１０）にＳＩＭカードＳＣが正しく挿入されたことを検知する。
【００３１】
以上説明した本発明は上記実施形態に限定されるものではなく、様々な変形を施しながら実施可能である。
例えば、第一コンタクトブロック１９、第二コンタクトブロック３８、第三コンタクトブロック４３、第四コンタクトブロック４８、第五コンタクトブロック５３、及び第六コンタクトブロック５８のコンタクト２５を図８−図１０に示す形状に変更してもよい。
図８に示すコンタクト２５’は平面視において接触部３２の前端から第二変形部２８’が前方に向かって延びかつ第一変形部２７’が第二変形部２８’の前端から左斜め前方に向かって延びる。同様に、コンタクト２５’は平面視において接触部３２の後端から第四変形部３１’が後方に向かって延びかつ第三変形部３０’が第四変形部３１’の後端から右斜め後方に向かって延びる。さらにコンタクト２５’を側方から見たときは、第一変形部２７’、第二変形部２８’、第三変形部３０’及び第四変形部３１’は接触部３２側から底板部６４側へ向かって斜め下方に延びる。
図９に示すコンタクト２５’’は平面視において接触部３２の前端から第二変形部２８’’が前方に向かって延びた後に左側に向かって延びかつ第一変形部２７’’が第二変形部２８’’の前端から前方に向かって延びる。同様に、コンタクト２５’’は平面視において接触部３２の後端から第四変形部３１’’が後方に向かって延びた後に右側に向かって延びかつ第三変形部３０’’が第四変形部３１’’の後端から後方に向かって延びる。さらにコンタクト２５’’を側方から見たときは、第一変形部２７’’、第二変形部２８’’、第三変形部３０’’及び第四変形部３１’’は接触部３２側から底板部６４側へ向かって斜め下方に延びる。
図１０に示すコンタクト２５’’’は平面視において接触部３２の前端から第二変形部２８’’’が前方に向かって延びかつ第一変形部２７’’’が第二変形部２８’’’の前端から右斜め後方に向かって延びる。同様に、コンタクト２５’’’は平面視において接触部３２の後端から第四変形部３１’’’が後方に向かって延びかつ第三変形部３０’’’が第四変形部３１’’’の後端から左斜め前方に向かって延びる。さらにコンタクト２５’’’を側方から見たときは、第一変形部２７’’’、第二変形部２８’’’、第三変形部３０’’’及び第四変形部３１’’’は接触部３２側から底板部６４側へ向かって斜め下方に延びる。
これら各変形例のコンタクト２５’、２５’’、２５’’’も両持ち構造でありかつ第一弾性変形部２６’、２６’’、２６’’’と第二弾性変形部２９’、２９’’、２９’’’が前後方向に向かって単調に延びる形状（単純な直線形状）ではない。そのため上記実施形態と同様の作用効果を発揮可能である。
【００３２】
コンタクト２５、２５’、２５’’、２５’’’が自由状態にあるときに第一弾性変形部及び第二弾性変形部の全体が一水平面上に位置するようにしてもよい。
またコンタクト２５、２５’、２５’’、２５’’’の第一弾性変形部及び第二弾性変形部の接触部３２と反対側の端部を底板部６４（支持部）に固定してもよい。
【００３３】
またＳＩＭカードＳＣ以外のメモリカード（例えば、ｍｉｃｒｏＳＤカードなど）を挿脱するためのメモリカード用コネクタに本発明を適用してもよい。
さらに、メモリカード用コネクタ１０を携帯端末以外の機器（例えば、ＰＤＡ、パーソナルコンピュータ、デジタルカメラ、デジタルビデオカメラ等）に実装してもよい。
【符号の説明】
【００３４】
１０    メモリカード用コネクタ
１５    下部ハウジング
１６    金属製一体部材
１７    左側部構成片
１８    右側部構成片
１９    第一コンタクトブロック
２０    右側固定部（固定部）（支持部）
２１    支持突片
２２    左側固定部（固定部）（支持部）
２３    支持突片
２５  ２５’  ２５’’  ２５’’’  コンタクト
２６  ２６’  ２６’’  ２６’’’    第一弾性変形部
２７  ２７’  ２７’’  ２７’’’  第一変形部
２８  ２８’  ２８’’  ２８’’’  第二変形部
２９  ２９’  ２９’’  ２９’’’    第二弾性変形部
３０  ３０’  ３０’’  ３０’’’  第三変形部
３１  ３１’  ３１’’  ３１’’’  第四変形部
３２    接触部
３３    接触凸部
３５    テール連結片
３６    テール片
３８    第二コンタクトブロック
３９    右側固定部（固定部）（支持部）
４０    左側固定部（固定部）（支持部）
４１    テール連結片
４３    第三コンタクトブロック
４４    右側固定部（固定部）（支持部）
４５    左側固定部（固定部）（支持部）
４６    テール連結片
４８    第四コンタクトブロック
４９    右側固定部（固定部）（支持部）
５０    左側固定部（固定部）（支持部）
５１    テール連結片
５３    第五コンタクトブロック
５４    右側固定部（固定部）（支持部）
５５    左側固定部（固定部）（支持部）
５６    テール連結片
５８    第六コンタクトブロック
５９    右側固定部（固定部）（支持部）
６０    左側固定部（固定部）（支持部）
６１    テール連結片
６３    インシュレータ
６４    底板部（支持部）
６５    底部貫通孔
６６    側壁
６７    後部壁
６８    カード収納空間
６９    ロックバネ収納溝
７０    第一検知用バネ収納溝
７１    第二検知用バネ収納溝
７３    ロックバネ
７４    ロック部
７５    第一検知用バネ
７６    接片
７７    被押圧突部
７８    第二検知用バネ
７９    接片
８０    シェル部材
ＣＢ    回路基板
ＳＣ    ＳＩＭカード（メモリカード）
ＳＣ１  端子
ＳＣ２  係合凹部
【図１】
2015232939.tif 000003
【図２】
2015232939.tif 000004
【図３】
2015232939.tif 000005
【図４】
2015232939.tif 000006
【図５】
2015232939.tif 000007
【図６】
2015232939.tif 000008
【図７】
2015232939.tif 000009
【図８】
2015232939.tif 000010
【図９】
2015232939.tif 000011
【図１０】
2015232939.tif 000012
【図１１】
2015232939.tif 000013